(57)【要約】【課題】  幅が異なる２種類の接続対象物と接続するコネクタの小型化と、幅が狭い接続対象物のスムーズなガイドを図る。【解決手段】  コネクタ１のハウジング２には、幅が狭い第１カード用のガイドスペース２ｂが設置されている。ガイドスペースの右側面には、第１ガイド壁２ｃと第１スライドガイド２ｄが設けられている。第１スライドガイドに平行に第１イジェクトバー３がスライド可能に設けられている。第１カード（図示せず）がハウジングの左側に挿入されている。第１イジェクトバーの操作ボタン３ａを右下部側の矢印方向へ押すと、回転レバー５は軸２ｇを中心として左回転する。すると、第２イジェクトバー４が中央上部側の矢印方向へスライドするので、イジェクト部４ｂは第１カードの前端部を押す。したがって、第１カードはコネクタからイジェクトされる。【選択図】  図１
2006228569.tif 000002
【特許請求の範囲】
【請求項１】
幅が異なる２種類の接続対象物と接続するコネクタにおいて、
前記コネクタは、イジェクト機構を有し、
前記イジェクト機構は、前記接続対象物と当接して共に移動するイジェクトバーと、前記イジェクトバーを前記接続対象物の離脱方向へ操作する操作部と、前記接続対象物の内幅が狭い一方をガイドするガイド部とを有し、
前記ガイド部は、前記一方の接続対象物が挿入された際には、前記一方の接続対象物の被ガイド部と当接することにより、前記一方の接続対象物を前記イジェクトバーの当接部に向けて移動させ、前記接続対象物の内幅が広い他方が挿入された際には、前記他方の接続対象物と当接しないことを特徴とするコネクタ。
【請求項２】
前記イジェクトバーと前記操作部の間に回転レバー及び他のイジェクトバーが介在することを特徴とする請求項１記載のコネクタ。
【請求項３】
前記イジェクトバーと前記操作部の間に平歯車及び２つのラックが介在することを特徴とする請求項１記載のコネクタ。
【発明の詳細な説明】
【技術分野】
【０００１】
本発明は、幅が異なる２種類の接続対象物と接続するコネクタに関し、詳しく述べると、各接続対象物のガイド及びイジェクト機構に関する。
【０００２】
一例として、ＰＣＭＣＩＡの規格によれば、コネクタの種類は、イクスプレス・カード用コネクタであり、接続対象物の種類は、３４モジュール（以下「第１カード」という。）と５４モジュール（以下「第２カード」という。）である。
【背景技術】
【０００３】
第１の従来のカード用コネクタについて図２６〜図２８を参照して説明する。
【０００４】
図２８（Ａ）に示されるように、コネクタ４１は、第２カード２１と嵌合している。コネクタ４１のハウジング４２の右側面に平行にイジェクトバー４３がスライド可能に設けられ、イジェクトバー４３には操作ボタン４３ａが設けられている。ハウジング４２の軸４２ｇには、回転レバー４５が支持されている。
【０００５】
操作ボタン４３ａを図２８（Ｂ）における矢印方向に押すと、イジェクトバー４３の先端は回転レバー４５の右端を押す。すると、回転レバー４５は軸４２ｇを中心として矢印方向に回転するので、回転レバー４５の左端は第２カード２１の前端部を矢印方向に押す。したがって、第２カード２１は、コネクタ４１からイジェクトされる。
【０００６】
第２の従来のカード用コネクタについて説明する（例えば、特許文献１参照。）。
【０００７】
図２９（Ａ）は、幅が狭い第１カード５１をコネクタ５３のハウジング５４に挿入を開始した状態の平面図である。
【０００８】
ハウジング５４には、左壁部５４ａと右壁部５４ｂが形成され、また、左側挿入空間５６と右側挿入空間５７が設けられている。更に、ハウジング５４の奥部には、複数の左側端子部材５８と複数の右側端子部材５９が保持されている。
【０００９】
更に、左右両側挿入空間５６，５７の中央の奥部近傍には、振り分け機構６０が設置されている。振り分け機構６０の凹部６１内には、回転部材６２が軸６３を中心として回転可能に設けられている。回転部材６２の両端には、第１係合部６４と第２係合部６５が設けられている。
【００１０】
第１カード５１の前端部５１ｃの両側から第１カード５１の両側面に沿って裏面にガイド溝５１ｄが形成され、各ガイド溝５１ｄにおける前端部５１ｃから若干の範囲には、テーパ部５１ｄ１が形成されている。
【００１１】
第１カード５１がハウジング５４に対して若干右方向に傾斜して挿入されると、まず、前端部５１ｃが第１係合部６４を押すので、回転部材６２は図２９（Ｂ）に示されるように右回転する。次に、第１係合部６４は右側のテーパ部５１ｄ１を押すので、第１カード５１は若干左回転する。続いて、第１係合部６４と第２係合部６５が右側のガイド溝５１ｄをガイドするので、第１カード５１は左壁部５４ａに平行にハウジング５４の奥部まで進入する。最後に、第１カード５１の前端部５１ｃに設けられている複数の端子部材（図示せず）は、それぞれ複数の左側端子部材５８と接続する。
【００１２】
図３０（Ａ）は、幅が広い第２カード５２をコネクタ５３のハウジング５４に挿入を開始した状態の平面図である。
【００１３】
第２カード５２の前端部５２ｃの中央には、凹部５２ｄが形成されている。
【００１４】
第２カード５２がハウジング５４に左右両壁部５４ａ，５４ｂに対して平行に挿入されると、凹部５２ｄは振り分け機構６０に当接せずにはまる。したがって、第２カード５２の前端部５２ｃに設けられている複数の端子部材（図示せず）は、それぞれ複数の左右両側端子部材５８，５９と接続する。
【００１５】
【特許文献１】特開２００４−３１８５１１号公報（第６頁第４４行〜第７頁第２７行、第８頁第１５行〜第９頁第１７行、図６〜図１１、図１５〜図１７）
【発明の開示】
【発明が解決しようとする課題】
【００１６】
第１の従来のカード用コネクタでは、回転レバーが直接カードの先端部を押してカードをイジェクトするので、回転レバーの回転軸をカードとコネクタとの嵌合面の近傍に配置せざるを得ない。
【００１７】
したがって、コネクタが大型となり、また、カードのイジェクトをスムーズに行い難い。
【００１８】
第２の従来のカード用コネクタは、幅が異なる２種類のカードと接続できるが、振り分け機構を採用するので、幅が狭いカードを所定の嵌合位置にスムーズにガイドし難い。
【００１９】
そこで、本発明は、前記両従来のカード用コネクタの欠点を改良し、次の課題を解決する幅が異なる２種類の接続対象物と接続するコネクタを提供しようとするものである。
【００２０】
１．コネクタの小型化を図る。
【００２１】
２．幅が狭い接続対象物をも所定の嵌合位置にスムーズにガイドする。
【００２２】
３．接続対象物のイジェクトをスムーズに行う。
【００２３】
４．省スペース化が図れる。
【課題を解決するための手段】
【００２４】
本発明は、前記課題を解決するため、次の手段を採用する。
【００２５】
１．幅が異なる２種類の接続対象物と接続するコネクタにおいて、前記コネクタは、イジェクト機構を有し、前記イジェクト機構は、前記接続対象物と当接して共に移動するイジェクトバー４，４ａ，４ｂ，４ｃ，４ｄと、前記イジェクトバーを前記接続対象物の離脱方向へ操作する操作部３，３ａ，３ｂ，２ｇ，５と、前記接続対象物の内幅が狭い一方をガイドするガイド部２ｂ１〜２ｂ４とを有し、前記ガイド部は、前記一方の接続対象物が挿入された際には、前記一方の接続対象物の被ガイド部と当接することにより、前記一方の接続対象物を前記イジェクトバーの当接部に向けて移動させ、前記接続対象物の内幅が広い他方が挿入された際には、前記他方の接続対象物と当接しないコネクタ。
【００２６】
２．前記イジェクトバーと前記操作部の間に回転レバー及び他のイジェクトバーが介在する前記１記載のコネクタ。
【００２７】
３．前記イジェクトバーと前記操作部の間に平歯車及び２つのラックが介在する前記１記載のコネクタ。
【発明の効果】
【００２８】
明細書の説明から明らかなように、本発明は、次の効果を奏する。
【００２９】
１．イジェクト機構の回転レバーの回転軸が接続対象物とコネクタとの嵌合面の近傍に配置されないので、コネクタの嵌合離脱方向のサイズが短縮され、コネクタは小型となる。
【００３０】
２．従来技術の振り分け機構に代えて簡素なガイド部を採用するので、幅が狭い接続対象物も所定の嵌合位置にスムーズにガイドされる。
【００３１】
３．イジェクト機構は、イジェクトバーと、操作部と、ガイド部とを有するので、接続対象物は、スムーズにイジェクトされる。
【００３２】
４．イジェクト機構の回転レバーをガイドスペースに配置したので、省スペース化が図れる。
【発明を実施するための最良の形態】
【００３３】
本発明の一実施例のコネクタについて説明する。
【実施例１】
【００３４】
本発明の実施例１のカード用コネクタについて図１〜図２５を参照して順次説明する。
【００３５】
図１は、カード用コネクタ（以下「コネクタ」という。）１の要部の模式図であり、（Ａ）は、回転レバー機構方式、（Ｂ）は、歯車機構方式を、それぞれ示す。
【００３６】
コネクタ１の長方形状のハウジング２の右上隅には、長方形状の切り欠き部２ａが形成され、切り欠き部２ａの下側に第１カード用のガイドスペース２ｂが設置されている。ガイドスペース２ｂの右側面には、第１ガイド壁２ｃと第１スライドガイド２ｄが設けられている。第１スライドガイド２ｄに平行に第１イジェクトバー３がスライド可能に設けられ、第１イジェクトバー３には操作ボタン３ａが設けられている。
【００３７】
ハウジング２の切り欠き部２ａ側の右側面には、第２ガイド壁２ｅと第２スライドガイド２ｆが設けられている。第２スライドガイド２ｆに平行に第２イジェクトバー４がスライド可能に設けられ、第２イジェクトバー４の先端４ａにイジェクト部４ｂが直角方向に突出するように形成されている。
【００３８】
ガイドスペース２ｂには、軸２ｇが形成され、軸２ｇに回転レバー５がはめられて支持されている。第１イジェクトバー３は、回転レバー５の一端に係合し、第２イジェクトバー４は、回転レバー５の他端に係合している。
【００３９】
ガイドスペース２ｂに回転レバー５を配設したので、切り欠き部２ａに部品等が配置でき、有効に活用できるので、省スペース化が図れる。
【００４０】
コネクタ１に第１カード１１（後述する図２参照）又は第２カード２１（後述する図３参照）が嵌合している場合のイジェクト操作について説明する。
【００４１】
まず、第１カード１１（図示せず）がハウジング２の左側に挿入されている。操作ボタン３ａを右下部側の矢印方向へ押すと、回転レバー５は軸２ｇを中心として左回転する。すると、第２イジェクトバー４が中央上部側の矢印方向へスライドするので、イジェクト部４ｂは第１カード１１の前端部１１ａを押す。したがって、第１カード１１はコネクタ１からイジェクトされる。
【００４２】
次に、第２カード２１（図示せず）がハウジング２に挿入されている。操作ボタン３ａを押すと、この場合も第１カード１１の場合と同様に、イジェクト部４ｂは第２カード２１の前端部２１ａを押す。したがって、第２カード２１はコネクタ１からイジェクトされる。
【００４３】
第１カード１１と第２カード２１のコネクタ１への挿入についての説明は、後述する。
【００４４】
（Ａ）は回転レバー機構方式であるが、これを（Ｂ）の歯車機構方式に設計変更することができる。すなわち、第１イジェクトバー３と第２イジェクトバー４にそれぞれラック（図示せず）を形成し、各ラックを両イジェクトバー３，４の中間に設置されている平歯車６にかみ合わせる。
【００４５】
図２（Ａ）〜（Ｃ）は、第１カード１１の諸斜視図である。長方形状の第１カード１１の表面における長手方向（嵌合離脱方向）の両側には、幅が狭い溝１１ｂが形成され、裏面における長手方向の両側には、前端部１１ａの近傍に幅が広い溝１１ｃ１が形成され、溝１１ｃ１に連続して幅が狭い溝１１ｃ２が形成されている。
【００４６】
図３（Ａ）〜（Ｃ）は、第２カード２１の諸斜視図である。第２カード２１は、大きい長方形から前端部２１ａの右隅近傍の小さい長方形を除去された形状であり、切り欠き部２１ｂを有する。
【００４７】
第２カード２１の表面における長手方向の両側には、幅が狭い溝２１ｃが形成され、裏面における長手方向の両側には、前端部２１ａの近傍に幅が広い溝２１ｄ１が形成され、溝２１ｄ１に連続して幅が狭い溝２１ｄ２、略３角形状の溝２１ｄ３、幅が狭い溝２１ｄ２が順次形成されている。
【００４８】
第２カード２１には、略３角形状の溝２１ｄ３が形成されているので、第２カード２１は、コネクタ１に嵌合する際、イジェクト機構の回転レバー５、軸２ｇ及び第２イジェクトバー４に当接する支障を生じない。
【００４９】
図４（Ａ）〜（Ｆ）は、第２カード２１の６面図である。
【００５０】
図５は、第１カード１１がハウジング２に挿入された第１段階の要部の下面図である。
【００５１】
図６は、第１カード１１がハウジング２に挿入された後、若干進入した第２段階の要部の下面図である。第１カード１１の裏面左側の溝１１ｃ１の右角は、ハウジング２のガイドスペース２ｂの傾斜ガイド面２ｂ１にガイドされている。
【００５２】
図７は、第１カード１１が図６の位置から更に進入した第３段階の要部の下面図である。第１カード１１の裏面左側の溝１１ｃ１の右角は、ハウジング２のガイドスペース２ｂの平行ガイド面２ｂ２にガイドを開始される。
【００５３】
図８は、第１カード１１が図７の位置から更に進入した第４段階の要部の下面図である。第１カード１１の裏面左側の溝１１ｃ１の左角のテーパ部は、ハウジング２のガイドスペース２ｂの傾斜ガイド面２ｂ３にガイドを開始される。
【００５４】
図９は、第１カード１１が図８の位置から更に進入した第５段階の要部の下面図である。第１カード１１の裏面左側の溝１１ｃ１の左角のテーパ部は、ハウジング２のガイドスペース２ｂの平行ガイド面２ｂ４にガイドを開始される。
【００５５】
図１０は、第１カード１１が図９の位置から更に進入した第６段階の要部の下面図である。第１カード１１の裏面左側の溝１１ｃ１の左側面は、ハウジング２のガイドスペース２ｂの平行ガイド面２ｂ４にガイドされている。
【００５６】
図１１における破線により囲われている箇所は、コネクタ１における第１カード１１の通り道２ｂ５を示す。
【００５７】
図１２は、コネクタ１を第１イジェクトバー３側から見た外観の斜視図である。
【００５８】
図１３は、コネクタ１を第１イジェクトバー３側から見た透視斜視図である。
【００５９】
図１４は、コネクタ１のイジェクト機構の拡大斜視図である。回転レバー５の孔５ａは、ハウジング２の軸２ｇにはめ込まれる。回転レバー５の一端５ｂには、第１イジェクトバー３の先端の直角部３ｂが係合し、他端５ｃに開けられた孔５ｃ１には、第２イジェクトバー４の湾曲した後端４ｃの近傍に形成されている突出部４ｄが係合する。
【００６０】
滑らかな形状の後端４ｃは、第２イジェクトバー４と回転レバー５との係合部
４ｄ，５ｃ１よりカードが挿入される挿入口側に位置する。
【００６１】
図１５は、第２カード２１がコネクタ１に挿入された状態の平面図であり、（Ａ）は嵌合状態、（Ｂ）はイジェクト状態を、それぞれ示す。
【００６２】
図１６は、イジェクト状態における第２カード２１とイジェクト機構の平面図であり、（Ａ）は全体図（ただし、第２カード２１は一部）、（Ｂ）は（Ａ）における長方形の部分の拡大図を、それぞれ示す。
【００６３】
回転レバー５の回転軸は、ガイドスペース２ｂに配置されている。
【００６４】
図１７は、イジェクト状態におけるイジェクト機構の下面図である。
【００６５】
第２イジェクトバー４の後端４ｃ（図１４参照）は、Ｒ形状（滑らかな形状）に形成されているので、カードと当接しカードを所定の嵌合位置にスムーズにガイドすることができる。
【００６６】
図１８は、第１カード１１がハウジング２に挿入された第１段階の要部の下面図であり、第２イジェクトバー４が第１カード１１に対向して表示されている。
【００６７】
図１９は、第１カード１１がハウジング２に挿入された後、若干進入した第２段階の要部の下面図である。第１カード１１が、第２イジェクトバー４に接近している。
【００６８】
図２０は、第１カード１１が図１９の位置から更に進入した第３段階の要部の下面図である。第１カード１１の前端部１１ａは、第２イジェクトバー４の湾曲した後端４ｂに当接している。
【００６９】
図２１は、第１カード１１が図２０の位置から更に進入した第４段階の要部の下面図である。第１カード１１の前端部１１ａは、第２イジェクトバー４の後端４ｂを押して、第２イジェクトバー４をスライドさせる。
【００７０】
図２２は、第１カード１１が図２１の位置から更に進入した第５段階の要部の下面図である。第１カード１１の前端部１１ａは、第２イジェクトバー４の後端４ｂを更に押して、第２イジェクトバー４を更にスライドさせる。
【００７１】
図２３は、第１カード１１が図２２の位置から更に進入した第６段階の要部の下面図である。第１カード１１の前端部１１ａは、第２イジェクトバー４の後端４ｂを更に押して、第２イジェクトバー４をストロークの最終位置までスライドさせている。
【００７２】
図２４は、第１カード１１が図２３の位置から更に進入した第７段階の要部の下面図である。第１カード１１の裏面左側の溝１１ｃ１の左角のテーパ部は、ハウジング２のガイドスペース２ｂの平行ガイド面２ｂ４にガイドを開始される。
【００７３】
図２５は、第１カード１１が図２４の位置から更に進入した第８段階の要部の下面図である。第１カード１１の裏面左側の溝１１ｃ１の左側面は、ハウジング２のガイドスペース２ｂの平行ガイド面２ｂ４にガイドされている。
【００７４】
第１カード１１がハウジング２の左側半分に最初から挿入された場合には、第１カード１１の前端部１１ａは、ハウジング２の傾斜ガイド面２ｂ１に接触せずに、第２イジェクトバー４のイジェクト部４ｂを押す。したがって、第２イジェクトバー４は図１（Ａ）における中央上部側の矢印方向とは反対方向へスライドし、回転レバー５は軸２ｇを中心として右回転し、第１イジェクトバー３は右下部側の矢印方向とは反対方向へスライドする。
【図面の簡単な説明】
【００７５】
【図１】本発明の実施例１のカード用コネクタの要部の模式図であり、（Ａ）は回転レバー機構方式、（Ｂ）は歯車機構方式を、それぞれ示す。
【図２】第１カードの諸斜視図であり、（Ａ）は表面の後端部側から見た図、（Ｂ）は裏面の後端部側から見た図、（Ｃ）は裏面の前端部側から見た図を、それぞれ示す。
【図３】第２カードの諸斜視図であり、（Ａ）は表面の後端部側から見た図、（Ｂ）は裏面の後端部側から見た図、（Ｃ）は裏面の前端部側から見た図を、それぞれ示す。
【図４】同第２カードの６面図であり、（Ａ）は正面図、（Ｂ）は平面図、（Ｃ）は背面図、（Ｄ）は左側面図、（Ｅ）は右側面図、（Ｆ）は下面図を、それぞれ示す。
【図５】同第１カードが同コネクタに挿入された第１段階の要部の下面図である。
【図６】同第２段階の要部の下面図である。
【図７】同第３段階の要部の下面図である。
【図８】同第４段階の要部の下面図である。
【図９】同第５段階の要部の下面図である。
【図１０】同第６段階の要部の下面図である。
【図１１】同コネクタにおける同第１カードの通り道を示す下面図である。
【図１２】同コネクタを第１イジェクトバー側から見た斜視図である。
【図１３】同コネクタを同第１イジェクトバー側から見た透視斜視図である。
【図１４】同コネクタのイジェクト機構の諸斜視図であり、（Ａ）は一方向から見た図、（Ｂ）は他の方向から見た図、（Ｃ）は（Ｂ）における長方形の部分の拡大図を、それぞれ示す。
【図１５】同第２カードが同コネクタに挿入された状態の平面図であり、（Ａ）は嵌合状態、（Ｂ）はイジェクト状態を、それぞれ示す。
【図１６】イジェクト状態における同第２カードと同イジェクト機構の平面図であり、（Ａ）は全体図（ただし、同第２カードは一部）、（Ｂ）は（Ａ）における長方形の部分の拡大図を、それぞれ示す。
【図１７】イジェクト状態における同イジェクト機構の下面図である。
【図１８】同第１カードが同コネクタに挿入された第１段階の要部の下面図であり、第２イジェクトバーが同第１カードに対向して表示されている。
【図１９】同第２段階の要部の下面図である。
【図２０】同第３段階の要部の下面図である。
【図２１】同第４段階の要部の下面図である。
【図２２】同第５段階の要部の下面図である。
【図２３】同第６段階の要部の下面図である。
【図２４】同第７段階の要部の下面図である。
【図２５】同第８段階の要部の下面図である。
【図２６】第１の従来のカード用コネクタの斜視図である。
【図２７】同コネクタの透視斜視図である。
【図２８】同コネクタに第２カードが挿入された状態の平面図であり、（Ａ）は嵌合状態、（Ｂ）はイジェクト状態を、それぞれ示す。
【図２９】第２の従来のカード用コネクタの平面図であり、（Ａ）は第１カードが同コネクタに挿入された第１段階、（Ｂ）は同第２段階を、それぞれ示す。
【図３０】同コネクタの平面図であり、（Ａ）は第２カードが同コネクタに挿入された第１段階、（Ｂ）は同第２段階を、それぞれ示す。
【符号の説明】
【００７６】
１  コネクタ（カード用コネクタ）
２  ハウジング
２ａ  切り欠き部
２ｂ  ガイドスペース
２ｂ１  傾斜ガイド面
２ｂ２  平行ガイド面
２ｂ３  傾斜ガイド面
２ｂ４  平行ガイド面
２ｂ５  第１カードの通り道
２ｃ  第１ガイド壁
２ｄ  第１スライドガイド
２ｅ  第２ガイド壁
２ｆ  第２スライドガイド
２ｇ  軸
３  第１イジェクトバー
３ａ  操作ボタン
３ｂ  直角部
４  第２イジェクトバー
４ａ  先端
４ｂ  イジェクト部
４ｃ  後端
４ｄ  突出部
５  回転レバー
５ａ  孔
５ｂ  一端
５ｃ  他端
５ｃ１  孔
６  平歯車
１１  第１カード
１１ａ  前端部
１１ｂ  幅が狭い溝
１１ｃ１  幅が広い溝
１１ｃ２  幅が狭い溝
２１  第２カード
２１ａ  前端部
２１ｂ  切り欠き部
２１ｃ  幅が狭い溝
２１ｄ１  幅が広い溝
２１ｄ２  幅が狭い溝
２１ｄ３  略３角形状の溝
【図１】
2006228569.tif 000003
【図２】
2006228569.tif 000004
【図３】
2006228569.tif 000005
【図４】
2006228569.tif 000006
【図５】
2006228569.tif 000007
【図６】
2006228569.tif 000008
【図７】
2006228569.tif 000009
【図８】
2006228569.tif 000010
【図９】
2006228569.tif 000011
【図１０】
2006228569.tif 000012
【図１１】
2006228569.tif 000013
【図１２】
2006228569.tif 000014
【図１３】
2006228569.tif 000015
【図１４】
2006228569.tif 000016
【図１５】
2006228569.tif 000017
【図１６】
2006228569.tif 000018
【図１７】
2006228569.tif 000019
【図１８】
2006228569.tif 000020
【図１９】
2006228569.tif 000021
【図２０】
2006228569.tif 000022
【図２１】
2006228569.tif 000023
【図２２】
2006228569.tif 000024
【図２３】
2006228569.tif 000025
【図２４】
2006228569.tif 000026
【図２５】
2006228569.tif 000027
【図２６】
2006228569.tif 000028
【図２７】
2006228569.tif 000029
【図２８】
2006228569.tif 000030
【図２９】
2006228569.tif 000031
【図３０】
2006228569.tif 000032
【手続補正書】
【提出日】平成17年8月17日(2005.8.17)
【手続補正１】
【補正対象書類名】特許請求の範囲
【補正対象項目名】全文
【補正方法】変更
【補正の内容】
【特許請求の範囲】
【請求項１】
幅が異なる２種類のカードと接続するカード用コネクタにおいて、
前記カード用コネクタは、ハウジングと、イジェクト機構とを有し、
前記ハウジングは、前記カードの挿入を案内し前記カードの挿入方向と交差する方向に設けられているガイド部を備えるガイドスペースを有し、
前記イジェクト機構は、前記カードと当接して前記カードと共に移動するイジェクト部材と、前記イジェクト部材を前記カードの離脱方向へ操作する操作部材と、前記操作部材の操作を前記イジェクト部材に伝達し回転可能に保持されている回転部材とを有し、
前記回転部材は回転中心を有し、前記回転中心は前記ガイドスペース内に配置されることを特徴とするカード用コネクタ。
【請求項２】
前記回転部材をレバー形状で構成し、
前記イジェクト部材は、前記回転部材の一端と係合するイジェクトバーを有し、
前記イジェクトバーは、前記回転部材と係合する端部側に、前記カードが挿入され前記ガイド部により所定の嵌合位置に前記カードをガイドする際、前記カードの端部と当接する当接部を有することを特徴とする請求項１記載のカード用コネクタ。
【請求項３】
前記当接部は前記当接部から延設されている延設部を有し、前記カードの挿入方向において、前記延設部の端部は前記当接部より前方側に位置することを特徴とする請求項２記載のカード用コネクタ。
【手続補正３】
【補正対象書類名】明細書
【補正対象項目名】００２５
【補正方法】変更
【補正の内容】
【００２５】
１．幅が異なる２種類のカードと接続するカード用コネクタにおいて、前記カード用コネクタは、ハウジングと、イジェクト機構とを有し、前記ハウジングは、前記カードの挿入を案内し前記カードの挿入方向と交差する方向に設けられているガイド部２ｂ１を備えるガイドスペース２ｂを有し、前記イジェクト機構は、前記カードと当接して前記カードと共に移動するイジェクト部材４と、前記イジェクト部材４を前記カードの離脱方向へ操作する操作部材３と、前記操作部材３の操作を前記イジェクト部材４に伝達し回転可能に保持されている回転部材５とを有し、前記回転部材５は回転中心５ａを有し、前記回転中心５ａは前記ガイドスペース２ｂ内に配置されるカード用コネクタ。
【手続補正４】
【補正対象書類名】明細書
【補正対象項目名】００２６
【補正方法】変更
【補正の内容】
【００２６】
２．前記回転部材５をレバー形状で構成し、前記イジェクト部材４は、前記回転部材５の一端と係合するイジェクトバーを有し、前記イジェクトバーは、前記回転部材５と係合する端部側に、前記カードが挿入され前記ガイド部２ｂ１により所定の嵌合位置に前記カードをガイドする際、前記カードの端部と当接する当接部４ｃを有する前記１記載のカード用コネクタ。
【手続補正５】
【補正対象書類名】明細書
【補正対象項目名】００２７
【補正方法】変更
【補正の内容】
【００２７】
３．前記当接部４ｃは前記当接部４ｃから延設されている延設部４ｅを有し、前記カードの挿入方向において、前記延設部４ｅの端部４ｅ１は前記当接部４ｃより前方側に位置する前記２記載のカード用コネクタ。
【手続補正６】
【補正対象書類名】明細書
【補正対象項目名】００５９
【補正方法】変更
【補正の内容】
【００５９】
図１４は、コネクタ１のイジェクト機構の拡大斜視図である。回転レバー５の孔５ａは、ハウジング２の軸２ｇにはめ込まれる。回転レバー５の一端５ｂには、第１イジェクトバー３の先端の直角部３ｂが係合し、他端５ｃに開けられた孔５ｃ１には、第２イジェクトバー４の湾曲した当接部４ｃの近傍に形成されている突出部４ｄが係合する。
【手続補正７】
【補正対象書類名】明細書
【補正対象項目名】００６５
【補正方法】変更
【補正の内容】
【００６５】
第２イジェクトバー４の当接部４ｃ（図１４参照）は、Ｒ形状（滑らかな形状）に形成されているので、カードと当接しカードを所定の嵌合位置にスムーズにガイドすることができる。当接部４ｃは当接部４ｃから延設されている延設部４ｅを有し、カードの挿入方向において、延設部４ｅの端部４ｅ１は当接部４ｃより前方側に位置する。
【手続補正８】
【補正対象書類名】明細書
【補正対象項目名】００６８
【補正方法】変更
【補正の内容】
【００６８】
図２０は、第１カード１１が図１９の位置から更に進入した第３段階の要部の下面図である。第１カード１１の前端部１１ａは、第２イジェクトバー４の湾曲した当接部４ｃに当接している。
【手続補正９】
【補正対象書類名】明細書
【補正対象項目名】００６９
【補正方法】変更
【補正の内容】
【００６９】
図２１は、第１カード１１が図２０の位置から更に進入した第４段階の要部の下面図である。第１カード１１の前端部１１ａは、第２イジェクトバー４の当接部４ｃを押して、第２イジェクトバー４をスライドさせる。
【手続補正１０】
【補正対象書類名】明細書
【補正対象項目名】００７０
【補正方法】変更
【補正の内容】
【００７０】
図２２は、第１カード１１が図２１の位置から更に進入した第５段階の要部の下面図である。第１カード１１の前端部１１ａは、第２イジェクトバー４の当接部４ｃを更に押して、第２イジェクトバー４を更にスライドさせる。
【手続補正１１】
【補正対象書類名】明細書
【補正対象項目名】００７１
【補正方法】変更
【補正の内容】
【００７１】
図２３は、第１カード１１が図２２の位置から更に進入した第６段階の要部の下面図である。第１カード１１の前端部１１ａは、第２イジェクトバー４の当接部４ｃを更に押して、第２イジェクトバー４をストロークの最終位置までスライドさせている。
【手続補正１２】
【補正対象書類名】明細書
【補正対象項目名】００７６
【補正方法】変更
【補正の内容】
【００７６】
１  コネクタ（カード用コネクタ）
２  ハウジング
２ａ  切り欠き部
２ｂ  ガイドスペース
２ｂ１  傾斜ガイド面
２ｂ２  平行ガイド面
２ｂ３  傾斜ガイド面
２ｂ４  平行ガイド面
２ｂ５  第１カードの通り道
２ｃ  第１ガイド壁
２ｄ  第１スライドガイド
２ｅ  第２ガイド壁
２ｆ  第２スライドガイド
２ｇ  軸
３  第１イジェクトバー
３ａ  操作ボタン
３ｂ  直角部
４  第２イジェクトバー
４ａ  先端
４ｂ  イジェクト部
４ｃ  当接部
４ｄ  突出部
４ｅ  延設部
４ｅ１  端部
５  回転レバー
５ａ  孔
５ｂ  一端
５ｃ  他端
５ｃ１  孔
６  平歯車
１１  第１カード
１１ａ  前端部
１１ｂ  幅が狭い溝
１１ｃ１  幅が広い溝
１１ｃ２  幅が狭い溝
２１  第２カード
２１ａ  前端部
２１ｂ  切り欠き部
２１ｃ  幅が狭い溝
２１ｄ１  幅が広い溝
２１ｄ２  幅が狭い溝
２１ｄ３  略３角形状の溝
【手続補正１３】
【補正対象書類名】図面
【補正対象項目名】図１４
【補正方法】変更
【補正の内容】
【図１４】
2006228569.tif 000033
【手続補正書】
【提出日】平成17年11月14日(2005.11.14)
【手続補正１】
【補正対象書類名】特許請求の範囲
【補正対象項目名】全文
【補正方法】変更
【補正の内容】
【特許請求の範囲】
【請求項１】
幅が狭い第１カード及び幅が広い第２カードと接続するカード用コネクタにおいて、
前記カード用コネクタは、ハウジングと、イジェクト機構とを有し、
前記ハウジングは、前記第１カードの挿入を案内し前記第１カードの挿入方向と交差する方向に設けられているガイド部を備えるガイドスペースを有し、
前記ガイドスペースは、前記ハウジングにおける前記第１カードの挿入方向の最前側の一隅に形成されている切り欠き部の手前側に隣接して設置され、
前記両カードの内どちらか一方と嵌合離脱する際、前記イジェクト機構は、前記両カードの内どちらか一方と当接して前記両カードの内どちらか一方と共に移動するイジェクト部材と、前記イジェクト部材を前記両カードの内どちらか一方の離脱方向へ操作する操作部材と、前記操作部材の操作を前記イジェクト部材に伝達し回転可能に保持されている回転部材とを有し、
前記回転部材は回転中心を有し、前記回転中心は前記ガイドスペース内に配置されることを特徴とするカード用コネクタ。
【請求項２】
前記回転部材をレバー形状で構成し、
前記イジェクト部材は、前記回転部材の一端と係合するイジェクトバーを有し、
前記イジェクトバーは、前記回転部材と係合する端部側に、前記第１カードが挿入され前記ガイド部により所定の嵌合位置に前記第１カードをガイドする際、前記第１カードの端部と当接する当接部を有することを特徴とする請求項１記載のカード用コネクタ。
【請求項３】
前記当接部は前記当接部から延設されている延設部を有し、前記第１カードの挿入方向において、前記延設部の端部は前記当接部より前方側に位置することを特徴とする請求項２記載のカード用コネクタ。
【手続補正２】
【補正対象書類名】明細書
【補正対象項目名】００２５
【補正方法】変更
【補正の内容】
【００２５】
１．幅が狭い第１カード１１及び幅が広い第２カード２１と接続するカード用コネクタ１において、前記カード用コネクタ１は、ハウジング２と、イジェクト機構とを有し、前記ハウジング２は、前記第１カード１１の挿入を案内し前記第１カード１１の挿入方向と交差する方向に設けられているガイド部２ｂ１，２ｂ３を備えるガイドスペース２ｂを有し、前記ガイドスペース２ｂは、前記ハウジング２における前記第１カード１１の挿入方向の最前側の一隅に形成されている切り欠き部２ａの手前側に隣接して設置され、前記両カード１１，２１の内どちらか一方と嵌合離脱する際、前記イジェクト機構は、前記両カード１１，２１の内どちらか一方と当接して前記両カード１１，２１の内どちらか一方と共に移動するイジェクト部材４と、前記イジェクト部材４を前記両カード１１，２１の内どちらか一方の離脱方向へ操作する操作部材３と、前記操作部材３の操作を前記イジェクト部材４に伝達し回転可能に保持されている回転部材５とを有し、前記回転部材５は回転中心５ａを有し、前記回転中心５ａは前記ガイドスペース２ｂ内に配置されるカード用コネクタ。
【手続補正３】
【補正対象書類名】明細書
【補正対象項目名】００２６
【補正方法】変更
【補正の内容】
【００２６】
２．前記回転部材５をレバー形状で構成し、前記イジェクト部材４は、前記回転部材５の一端と係合するイジェクトバーを有し、前記イジェクトバーは、前記回転部材５と係合する端部側に、前記第１カード１１が挿入され前記ガイド部２ｂ１により所定の嵌合位置に前記第１カード１１をガイドする際、前記第１カード１１の端部と当接する当接部４ｃを有する前記１記載のカード用コネクタ。
【手続補正４】
【補正対象書類名】明細書
【補正対象項目名】００２７
【補正方法】変更
【補正の内容】
【００２７】
３．前記当接部４ｃは前記当接部４ｃから延設されている延設部４ｅを有し、前記第１カード１１の挿入方向において、前記延設部４ｅの端部４ｅ１は前記当接部４ｃより前方側に位置する前記２記載のカード用コネクタ。